(57)【要約】      （修正有）【課題】構成部品を減らして縫製工程の省力化と軽量化を図ったランドセルを提供する。【解決手段】教科書やノートなどを収容するランドセル本体２と、ランドセル本体を被う蓋板４０と、ランドセル本体を背負う背負いベルトから構成されるランドセル１において、ランドセル本体２の前板６に、正面部１２と底面部１３と側面部１４とを一体に形成した基板１１を取付けて上方に開口部を有した前段収容部１０を形成し、前段収容部の開口部に任意形状の装飾部２１を表面に設けたかぶせ片１６を開閉可能で且つ、このかぶせ片１６と正面部１２とに設けた連結部２３で着脱可能に形成してなることを特徴とする。【選択図】図２
0003199151.tif 000002
【実用新案登録請求の範囲】
【請求項１】
教科書やノートなどを収容するランドセル本体（２）と、該ランドセル本体を被う蓋板（４０）と、前記ランドセル本体（２）を背負う背負いベルト（４３）とからなるランドセル（１）において、人工皮革材からなる基板（１１）を加熱押圧成形により正面部（１２）と底面部（１３）と両側面部（１４）を一体に形成し、該基板の両側辺及び底面辺を前記ランドセル本体（２）の前板（６）に取付けて上方に開口部（１５）を有した前段収容部（１０）を設けてなることを特徴とするランドセル。
【請求項２】
前記前段収容部（１０）は、上部に設けた開口部（１５）を開閉可能に覆うかぶせ片（１６）を前記ランドセル本体（２）の前板（６）上部に取付けてなることを特徴とする請求項１記載のランドセル。
【請求項３】
前記かぶせ片（１６）は、前記前段収容部（１０）の前板（６）に取付ける接着部（１７）と、該接着部の他方に段部（１８）を介して幅広に形成した覆い部（１９）とを一体に形成し、前記開口部（１５）を開閉可能に覆う覆い部（１９）の先端に着脱可能な連結部（２３）を取付けてなることを特徴とする請求項２記載のランドセル。
【請求項４】
前記連結部（２３）は、かぶせ片（１６）に設けた覆い部（１９）の先端に連結雄部（２３ａ）を取付け、前記正面部（１２）の上方中央に設けた連結雌部（２３ｂ）と着脱可能に形成してなり、該連結雌雄部（２３ａ、２３ｂ）が、磁石、メンファスナ、ホックなどの連結部材からなることを特徴とする請求項３記載のランドセル。
【請求項５】
前記前段収容部（１０）は、前板（６）の表面にスライドファスナ（２７）で開閉可能に形成した出入口（２６）を有した内ポケット部（２５）を取付けてなることを特徴とする請求項１記載のランドセル。
【請求項６】
前記前段収容部（１０）は、正面部（１２）の外壁面に学校名や名前などを記入した名札を表示する窓部（３１）の上辺または側辺に差込口（３２）を設けて取付けた第１名札ポケット（３０）、あるいは、正面部（１２）の内側裏面シート地（１１ｂ）に設けた差込口（３８）から前記名札を出し入れして正面部（１２）に設けた窓部（３７）から表示可能にしてなる第２名札ポケット（３５）を取付けてなることを特徴とする請求項１記載のランドセル。  
【請求項７】
前記前段収容部（１０）は、正面部（１２）の外壁面、あるいは、第１、２名札ポケット（３０、３５）の窓部（３１、３７）周縁に任意形状の模様を表記した第１装飾部（２０）を設けてなることを特徴とする請求項１または６記載のランドセル。
【請求項８】
前記かぶせ片（１６）は、覆い部（１９）の表面に任意形状の図形を表記した第２装飾部（２１）を設けてなることを特徴とする請求項２または３記載のランドセル。
【請求項９】
前記前段収容部（１０）の正面部（１２）に設けた第１装飾部（２０）、および、かぶせ片（１６）に設けた第２装飾部（２１）は、星形、ハート形、動物、植物、記号からなる図形、または、キャラクター図形からなることを特徴とする請求項７または８記載のランドセル。
【考案の詳細な説明】
【技術分野】
【０００１】
本考案は、学童用ランドセルの改良に関する。
【背景技術】
【０００２】
従来、学童が背負うランドセルは、教科書やノートなどの大きなものを収容する主収容室と、計算用具などの各種教材を収容する副収容部と、給食費や教材費などのお金や大切なものを収納して紛失するのを防止する開口部にジッパーを取付けて開閉可能に形成した前ポケットからなるランドセル本体と、前記ランドセル本体を覆う蓋板と、前記ランドセル本体を背負う背負いベルトにより構成されているものが広く知られている。
【先行技術文献】
【特許文献】
【０００３】
【特許文献１】実用新案登録第２６０５７３８号公報
【特許文献１】実用新案登録第３１５６０７８号公報
【０００４】
また、ランドセルの前ポケットの構造は、正面と底面を一体に形成した正面板部と両側マチ部と、上方で水平方向に位置する開口部を形成する水平マチ部と、該前ポケットの上方に設けた開口部にスライドファスナを取付けて開閉可能に取付け、さらには、前記前ポケットの正面板部には、学童の名前や住所、学校名などを記載した名札を収容表示する窓部を有したポケット部など、数多くの部材により構成されている。
【考案の概要】
【考案が解決しようとする課題】
【０００５】
そのため、多数の部品を縫製する工程と、各部材の組立工程が複雑であることから熟練した技術を有する職人と縫製作業に時間がかかり、前ポケットの縫製工程は非能率的であると共に部品数も多いことからランドセルが重くなるという課題を有している。
【０００６】
また、ランドセルを構成する副収容部や前ポケットは、昨今使用頻度が少なく、特に前ポケットはスライドファスナで開閉するため面倒であること、および、月謝や給食費などの現金を持っていくことがないことなどから実際に使用することがほとんどない。
【０００７】
そこで本考案は、使用頻度の少ない副収容部と前ポケットを一緒にしてランドセルの構成部品を少なくすることにより、ランドセルの軽量化と作業工程の効率化を図り、ランドセルを背負う学童の負担を軽減する。一方、ランドセルの構成部品を少なくすることによる作業工程の効率化により、コストダウンを図ることを目的とするものである。
【課題を解決するための手段】
【０００８】
本考案は上記課題を達成するため、教科書やノートなどを収容するランドセル本体２と、該ランドセル本体を被う蓋板４０と、前記ランドセル本体２を背負う背負いベルト４３とからなるランドセル１において、人工皮革材からなる基板１１を加熱押圧成形により正面部１２と底面部１３と両側面部１４を一体に形成し、該基板の両側辺及び底面辺を前記ランドセル本体２の前板６に取付けて上方に開口部１５を有した前段収容部１０を設けてなることを特徴とする。また、前記前段収容部１０は、上部に設けた開口部１５を開閉可能に覆うかぶせ片１６を前記ランドセル本体２の前板６の上部に取付けてなることを特徴とする。さらに、前記かぶせ片１６は、前段収容部１０の前板６に取付ける接着部１７と、該接着部の他方に段部１８を介して幅広に形成した覆い部１９とを一体に形成し、前記開口部１５を開閉可能に覆う覆い部１９の先端に着脱可能な連結部２３を取付けてなることを特徴とする。さらにはまた、前記連結部２３は、かぶせ片１６に設けた覆い部１９の先端に連結雄部２３ａを取付け、前記正面部１２の上方中央に設けた連結雌部２３ｂと着脱可能に形成してなり、該連結雌雄部２３ａ、２３ｂが、磁石、メンファスナ、ホックなどの連結部材からなることを特徴とする。また、前記前段収容部１０は、前板６の表面にスライドファスナ２７で開閉可能に形成した出入口２６を有した内ポケット部２５を取付けてなることを特徴とする。さらに、前記前段収容部１０は、正面部１２の外壁面に学校名や名前などを記入した名札を表示する窓部３１の上辺または側辺に差込口３２を設けて取付けた第１名札ポケット３０、あるいは、正面部１２の内側裏面シート地１１ｂに設けた差込口３８から前記名札を出し入れして正面部１２に設けた窓部３７から表示可能にしてなる第２名札ポケット３５を取付けてなることを特徴とする。さらにはまた、前記前段収容部１０は、正面部１２の外壁面、あるいは、第１、２名札ポケット３０、３５の窓部３１、３７周縁に任意形状の模様を表記した第１装飾部２０を設けてなることを特徴とする。また、前記かぶせ片１６は、覆い部１９の表面に任意形状の図形を表記した第２装飾部２１を設けてなることを特徴とする。さらに、前記前段収容部１０の正面部２に設けた第１装飾部２０、および、かぶせ片１６に設けた第２装飾部２１は、星形、ハート形、動物、植物、記号からなる図形、または、キャラクター図形からなることを特徴とする。
【０００９】
したがって、本考案のランドセル１は、従来の副収容部と前段ポケット部を兼ねた前段収容部１０をランドセル本体２の前側に取付けたことにより、ランドセル１を構成する部品数を減らしてランドセル１の軽量化を図ることができる。また、部品数の軽減と縫製工程の省力化によりコストダウンを図ることができ経済的である。さらに、前段収容部１０を基板１１で加熱成形加工により一体に形成したことによりランドセルの型崩れや経年変化による縫製部分の綻びを防止することができる。さらにはまた、かぶせ片１６の表面に装飾部２０を設けたことにより、消費者の注意を喚起し、ランドセルの購買意欲を増進させることができる。
【図面の簡単な説明】
【００１０】
【図１】本考案に係るランドセルの一部破断した斜視図である。
【図２】前段収容部の開口部に蓋板を取付けたランドセルの斜視図である。
【図３】前段収容部に取付けた蓋板を開口した状態の斜視図である。
【図４】かぶせ片の展開図である。
【図５】本考案に係るランドセルの一部を縦方向に破断した状態の側面図である。
【図６】図５のＡ―Ａ線断面図である。
【図７】かぶせ片に取付けた連結部の要部拡大断面図である。
【図８】一部破断した前段収容部の正面部に第２装飾部を設けた正面図である。
【図９】前段収容部に取付けた第２名札ポケットの断面図である。
【考案を実施するための形態】
【００１１】
本考案の実施の形態を図面に基づいて説明すると、図１は本考案に係るランドセルの一部破断した斜視図、図２は前段収容部の開口部に蓋板を取付けたランドセルの斜視図、図３は前段収容部に取付けた蓋板を開口した状態の斜視図、図４はかぶせ片の展開図、図５は本考案に係るランドセルの一部を縦方向に破断した側面図、図６は図５のＡ―Ａ線断面図、図７はかぶせ片に取付けた連結部の要部拡大断面図である。このランドセル１は、合成皮革または人工皮革で形成したランドセル本体２と、前段収容部１０と、蓋板４０と、背負ベルト４３とにより構成されている。
【００１２】
前記ランドセル本体２や前段収容部１０は、天然皮革に似せて形成した人工皮革シート材からなる基板１１を加熱押圧成形により形成する。前記基板１１は、天然皮革に似せた表面部を有する表面シート地１１ａと、伸縮性を有する編地３６に合成樹脂シート３７を圧着して形成した裏面シート地１１ｂをそれぞれ積層して接着剤で加熱圧着して形成する。前記表面シート地１１ａは、軽量で強度性を有する不織布の表面にポリウレタン樹脂材をコーテイングしてなる公知の人工皮革で、例えば、株式会社クラレが製造販売する商品名「クラリーノ」（登録商標）を使用することが望ましい。
【００１３】
ランドセル本体２は、図１、２に示すごとく、教科書やノートや筆箱などを収容し、外周面には収容した教科書やノートの重さでランドセル本体２が広がるのを防止する前締ベルト３９を取付けてある。この前締ベルト３９は、一端をランドセル本体２のマチ部に固定し、他端を前段収容部１０の正面側に位置する正面部１２に取付けてある。
【００１４】
前記ランドセル本体２は、人工皮革シート材により形成した底面部の両側に側面部を一体に形成した大マチ枠板５と、学童の背中に面して位置する背板３と、該背板の反対側に位置する前板６とをそれぞれ縫着して有底状の箱型に形成し、上方に設けた開口部８から教科書やノートを出し入れ可能に形成してある。
【００１５】
前段収容部１０は、図１、２に示すごとく、人工皮革シート材により形成した基板１１を公知の加熱成形加工または真空成形加工または加熱プレス加工などにより折り曲げ加工により形成したもので、中央に位置した正面部１２の周縁三方向を直角方向に山折りして底面部１３と両側面部１４を一体に形成し、該底面部と両側面部１３の三辺端部と、ランドセル本体２の前板６の底辺と両側辺の三辺とを接着し、前記三辺と、ランドセル本体２の大マチ枠板５の両側面部と底面部の三辺とを縫着して形成してある。前記ランドセル本体２を構成する前板６は、前段収容部１０の内壁面を兼ねることから、前段収容部１０の説明においては、（以下、内壁面６ａという）。
【００１６】
前記前段収容部１０は、図３、５、６に示すごとく、内壁面６ａの中央にスライドファスナ２７で開閉可能に形成した出入口２６を有した内ポケット２５を取付けてある。この内ポケット２５は、従来のランドセルに取付けてある前ポケットを省略したことから、本来、前ポケットに収納する大切なものを収容できなくなる不便さを防止するために設けたもので、前段収容部１０内に設けた出入口２６をスライドファスナ２７で開閉する内ポケット２５を設けたことにより収容物の紛失を防止することができる。
【００１７】
前記前段収容部１０は、図２、５に示すごとく、正面部１２の表面に学校名や名前などを記入した名札（図示せず）を表示する第１名札ポケット３０を設けてある。前記第１名札ポケット３０は、図５に示すごとく、基板１１の正面部１２の中央に名札を表示する窓部３１を設け、名札を出し入れする差込口３２を上辺または側辺に設けてある。この第１名札ポケット３０に出し入れする名札には、学童の学校名や学年、名前などを記入する記入欄を設けてある。
【００１８】
また、前記名札ポケットは、図８、９に示すごとく、正面部１２の表面シート地１１ａと裏面シート地１１ｂとに間にポケット部３６を設け、該ポケット部の位置する表面シート地１１ａに窓部３７を設け、裏面シート地１１ｂに名札を出し入れする差込口３８を設けて形成した第２名札ポケット３５を取付けてもよい。
【００１９】
前記前段収容部１０は、図８に示すごとく、正面部１２の表面任意個所に学童の興味を喚起する図形や模様からなる第１装飾部２０を設けてある。この第１装飾部２０は、前記第１ポケット部３０または第２ポケット部３５の窓部周縁に形成し、例えば、額縁状の模様を形成することにより、前段収容部１０を目立たせることができる。  
【００２０】
前記前段収容部１０は、図２、３、５に示すごとく、開口部１５にかぶせ片１６を開閉可能に取付けてある。前記かぶせ片１６は、図４に示すごとく、一端に前段収容部１０の内壁面６ａに縫着または接着する接着部１７と、該接着部の後方に設けた段部１８を介して幅広に形成した覆い部１９とを一体に形成してある。この覆い部１９の先端に連結部２３を設け、該連結部付近の表面に、消費者の注意を喚起し、購買意欲を増進させるために任意形状をした第２装飾部２１を設けてある。
【００２１】
前記第１、２装飾部２０、２１は、学童の興味を喚起する装飾図形で、ハート図形、星図形または動物、植物、文字や記号図形、さらには、漫画やアニメーションのキャラクターなどの図形を設けてもよい。
【００２２】
前記連結部２３は、雌雄一対で互いに着脱可能に形成した連結部片からなり、図７に示すごとく、一方をかぶせ片１６の先端に連結雄部２３ａを取付け、他方を前段収容部１０の正面部１２の上方に連結雌部２３ｂを取付けて着脱可能に形成し、前段収容部１０の開口部１５を開閉可能にしてある。
【００２３】
前記連結部２３は、公知の連結部材からなり、例えば、磁石、メンファスナ、ホックなどを使用し、好ましくは、磁石からなる連結部２３ａ、２３ｂを取付けてある。
【００２４】
前記前段収容部１０の開口部１５は、かぶせ片１６と、ランドセル本体２と前段収容部１０とを被う蓋板４０との二重に覆うことにより、ランドセルの揺動や衝撃などで収容物が飛び出したり、収容物が紛失したりするのを防止することができる。
【００２５】
以下本考案の実施の形態の作用について説明すると、前段収容部１０は、基板１１を加熱成形加工により正面部１２の周縁に底面部１３と両側面部１４を一体に形成し、該基板の正面部１２の上方に接合雌部２１ｂを取付け、中央に第１名札ポケット３０または第２名札ポケット３５を設けてある。
【００２６】
一方、前段収容部１０は、内壁面６ａの中央に内ポケット２５を設け、該内ポケットの上方にかぶせ片１６の接続部１７を取付け、次いで、前記基枠１１の底面部１３と両側面部１４の三辺端部と、前板６の三辺端部とを合せて大マチ枠板５の周縁三辺とを縫着して形成してある。
【００２７】
本考案に係るランドセル１は、従来の副収納部と前ポケットの二つを兼ねた前段収容部１０を取付けて形成したことにより、ランドセルの構成部品を大幅に少なくすることができるのでランドセルの軽量化を図ることができる。また、組立工程に於いても構成部品が少ないことから縫製加工も容易であり、組立工程を効率的に行うことができ、コストの軽減を図ることができ経済的である。
【００２８】
前段収容部１０は、開口部１５に取付けたかぶせ片１６と、ランドセル本体２と、前段収容部１０とを被う蓋板４０との二重に覆うことができるので、ランドセルの揺動や衝撃などで収容物が飛び出して落下して紛失するのを防止することができる。
【００２９】
前段収容部１０の正面部１２、およびかぶせ片１６の表面に、学童が興味を示す図形からなる第１、２装飾部２０、２１を設けることにより、ランドセル１のバリエーションを豊富にすることができるので消費者の購買意欲を増進させることができる。
【００３０】
前段収容部１０の正面部１２に第１名札ポケット３０または第２名札ポケット３５を設けたことにより、ランドセルの所有者を一目で確認することができるので、同じような他人のランドセルと間違えることを防止することができる。さらには、正面部１２の表面に前記かぶせ片１６の表面に設けた第２装飾部２１と同様に、学童が興味を示す図形からなる第１装飾部２０を施すことにより、ランドセル１のバリエーションを豊富にすることができるので消費者の購買意欲を増進させることができる。
【００３１】
前記前段収容部１０は、内壁面６ａに設けた内ポケット２２の出入口２３をスライドファスナ２５で開閉可能にし、さらに、内ポケット２２を収容した前段収容部１０をかぶせ片１６で覆って二重に閉口したことにより、ランドセルの揺動や衝撃などで内ポケット２２に収容したことにより大事なものが落ちて紛失するのを防止することができ、且つまた、前段収容部１０は、開口部１５にかぶせ片１６を取付けてあるため簡単に開口することができないので盗難を予防することができる。  
【符号の説明】
【００３２】
１      ランドセル
２      ランドセル本体
３      背板
５      大マチ枠板
６      前板
８      開口部
１０    前段収容部
１１    基板
１２    正面部
１３    底面部
１４    側面部
１５    開口部
１６    かぶせ片
１７    接着部
１８    段部
１９    覆い部
２０    第１装飾部
２１    第２装飾部
２３    連結部
２５    内ポケット
２６    出入口
２７    スライドファスナ
３０    第１名札ポケット
３１    窓部
３２    差込口
３５    第２名札ポケット
３６    ポケット部
３７    窓部
３８    差込口
３９    前締ベルト
４０    蓋板
【図１】
0003199151.tif 000003
【図２】
0003199151.tif 000004
【図３】
0003199151.tif 000005
【図４】
0003199151.tif 000006
【図５】
0003199151.tif 000007
【図６】
0003199151.tif 000008
【図７】
0003199151.tif 000009
【図８】
0003199151.tif 000010
【図９】
0003199151.tif 000011